(57)【要約】【課題】ユーザの趣向に合った放送番組を提示するようにした放送受信装置を提供する。【解決手段】放送されている放送番組に関する番組情報の中からユーザが所望する番組情報を選択し、選択された番組情報からユーザの番組趣向に関連する情報であるキーワードを抽出し、抽出されたキーワードと各キーワードついてその属性に応じて趣向の程度を示す趣向ポイントに基づいて、当該抽出されたキーワードについてのユーザ趣向度を算出し、算出されたユーザ趣向度とそれに対応するキーワードとを対応付けてユーザ趣向データとして記憶する。【選択図】図１
2009077334.tif 000002
【特許請求の範囲】
【請求項１】
放送局から放送された映像信号や音声信号を含む放送番組を受信する放送受信装置において、
放送されている放送番組に関する番組情報を取得する取得手段と、
前記取得された番組情報を記憶する第１の記憶手段と、
前記第１の記憶手段に記憶された番組情報の中からユーザが所望する番組情報を選択する選択手段と、
前記選択された番組情報からユーザの番組趣向に関連する情報であるキーワードを抽出するキーワード抽出手段と、
前記各キーワードついてその属性に応じて趣向の程度を示す趣向ポイントが予め対応付けて記憶されている第２の記憶手段と、
前記抽出されたキーワードと前記第２の記憶手段に記憶されている趣向ポイントに基づいて、当該抽出されたキーワードについてのユーザ趣向度を算出する算出手段と、
前記算出されたユーザ趣向度とそれに対応するキーワードとを対応付けてユーザ趣向データとして記憶する第３の記憶手段と、
を備えたことを特徴とする放送受信装置。
【請求項２】
前記ユーザ趣向データに基づいて、ユーザの趣向に合った番組情報を前記第１の記憶手段から抽出する番組情報抽出手段と、
前記抽出された番組情報を表示する表示手段と、
を備えたことを特徴とする請求項１に記載の放送受信装置。
【請求項３】
前記キーワード抽出手段は、固有名詞、名詞、あるいは形容詞や形容動詞を含む形容語句からなる属性のキーワードを抽出することを特徴とする請求項１または請求項２に記載の放送受信装置。
【請求項４】
前記趣向ポイントは、固有名詞、名詞、形容語句の順に高い重み付けがなされていることを特徴とする請求項３に記載の放送受信装置。
【請求項５】
放送局から放送された映像信号や音声信号を含む放送番組を受信する放送受信装置の趣向データ収集方法において、
放送されている放送番組に関する番組情報を取得する取得工程と、
前記取得された番組情報を記憶する第１の記憶工程と、
前記第１の記憶工程にて記憶された番組情報の中からユーザが所望する番組情報を選択する選択工程と、
前記選択工程にて選択された番組情報からユーザの番組趣向に関連する情報であるキーワードを抽出するキーワード抽出工程と、
前記各キーワードついてその属性に応じて趣向の程度を示す趣向ポイントが予め対応付けて記憶する第２の記憶工程と、
前記キーワード抽出工程にて抽出されたキーワードと前記第２の記憶工程にて記憶されている趣向ポイントに基づいて、当該抽出されたキーワードについてのユーザ趣向度を算出する算出工程と、
前記算出工程にて算出されたユーザ趣向度とそれに対応するキーワードとを対応付けてユーザ趣向データとして記憶する第３の記憶工程と、
を含むことを特徴とする趣向データ収集方法。
【請求項６】
前記ユーザ趣向データに基づいて、ユーザの趣向に合った番組情報を前記第１の記憶工程にて記憶された番組情報から抽出する番組情報抽出工程と、
前記番組情報抽出工程にて抽出された番組情報を表示する表示工程と、
を含むことを特徴とする請求項５に記載の趣向データ収集方法。
【請求項７】
前記キーワード抽出工程は、固有名詞、名詞、あるいは形容詞や形容動詞を含む形容語句からなる属性のキーワードを抽出することを特徴とする請求項５または請求項６に記載の趣向データ収集方法。
【請求項８】
前記趣向ポイントは、固有名詞、名詞、形容語句の順に高い重み付けがなされていることを特徴とする請求項７に記載の趣向データ収集方法。
【発明の詳細な説明】
【技術分野】
【０００１】
本発明は、放送番組を受信することができる放送受信装置に関するものであり、特に、ユーザの趣向に合った放送番組を提示するようにした放送受信装置およびその趣向データ収集方法に関するものである。
【背景技術】
【０００２】
近年、車載型のナビゲーション装置の性能は飛躍的に向上し、多機能化が進んでいる。特に、出発地から目的地までの経路を自動的に検索し、検索された経路を誘導経路として地図上に表示する経路探索機能と音楽ＣＤやラジオ放送番組などを車内で楽しむためのオーディオ機能を搭載したナビゲーションシステムが提供されている。
【０００３】
また、アンテナ等を用いてテレビ放送（無線映像情報）を受信し、ＬＣＤ等の表示装置を用いて表示するテレビ放送受信機能を備えたナビゲーション装置も存在する。テレビ放送は大きく分けて、従来から存在するアナログテレビ放送と、近年になって普及し始めたデジタルテレビ放送との二つが存在する。
【０００４】
このように今後同一の放送受信装置で視聴できる番組数はますます増えて来るものと予想され、テレビの多チャンネル化に伴い新聞等のテレビ番組表や電子番組表に掲載される大量の番組情報からユーザが好みの番組を選択することは難しくなってきている。
【０００５】
この問題に関連してユーザの視聴履歴やキーワード入力によって作成されたユーザ嗜好情報と電子番組表（ＥＰＧ：Ｅｌｅｃｔｒｏｎｉｃ  Ｐｒｏｇｒａｍ  Ｇｕｉｄｅ）とを用いてユーザの嗜好にあった番組を抽出してユーザに表示することができる放送受信装置が様々に提案されている。
【０００６】
例えば、下記の特許文献１（特開２００６−７４３７６号公報）には、ユーザの意向に高レベルで合致した番組を選択及び抽出できる嗜好データを生成することができる技術が開示されている。
【０００７】
この特許文献１に開示された技術は、放送番組を受信する放送受信手段を備えた放送受信機能付き携帯電話装置であって、前記放送番組に関する番組情報を受信する番組情報受信手段と、ユーザの嗜好データを記憶する嗜好データ記憶手段と、当該携帯電話装置でユーザが使用したデータをユーザデータとして取得するユーザデータ取得手段と、該ユーザデータ取得手段で取得したユーザデータを元に、前記嗜好データ記憶手段に記憶する嗜好データの生成及び更新を行う嗜好データ登録手段と、前記嗜好データ記憶手段に記憶された嗜好データと前記番組情報受信手段で受信した番組情報とに基づいて、ユーザの嗜好に沿った番組を抽出する番組抽出手段と、を備えるように構成されているものである。
【０００８】
このように構成することにより、ユーザの意向に高レベルで合致した番組を選択及び抽出可能な放送受信機能付き携帯電話装置における番組抽出の元となる嗜好データを、装置本体に具備された機能を利用して容易な手順で生成することが可能となり、また、ユーザデータを多数扱うことによりユーザの意向に高いレベルで合致した番組抽出が可能とすることができる。
【特許文献１】特開２００６−７４３７６号公報（段落［０００７］）
【発明の開示】
【発明が解決しようとする課題】
【０００９】
しかしながら上記の特許文献１の放送受信機能付き携帯電話装置においては、ユーザデータを多数扱うことによりユーザの意向に高いレベルで合致した番組抽出が可能ではあるが、検索対象データが膨大になるため処理に時間を要し、ユーザが希望するユーザ趣向に合った番組に容易に辿り着けないという問題点があった。
【００１０】
本願の発明者は上記の問題点を解消すべく種々検討を重ねた結果、ユーザによって選択された放送番組の番組情報を検索して、この番組情報に含まれている番組のタイトル、番組内容の説明・解説からキーワードを抽出し、そのキーワードの属性によって重み付けされた趣向ポイントによってユーザ趣向度を算出するようになせば、上記の問題点を解消し得ることを想到し本発明を完成するに至ったものである。
【００１１】
すなわち、本発明は、上記の問題点を解消することを課題とし、ユーザが選択した放送番組に関する番組情報に含まれるキーワードと、その属性によって重み付けされた趣向ポイントとによって算出されたユーザ趣向度に基づいて、ユーザの趣向に合った放送番組を提示するようにした放送受信装置を提供することを目的とするものである。
【課題を解決するための手段】
【００１２】
前記課題を解決するために、本願の請求項１にかかる発明は、
放送局から放送された映像信号や音声信号を含む放送番組を受信する放送受信装置において、
放送されている放送番組に関する番組情報を取得する取得手段（例えば下記実施例では、制御部１０１に相当する）と、
前記取得された番組情報を記憶する第１の記憶手段（例えば下記実施例では、記憶部１１２に相当する）と、
前記第１の記憶手段に記憶された番組情報の中からユーザが所望する番組情報を選択する選択手段（例えば下記実施例では、操作入力部１１３に相当する）と、
前記選択された番組情報からユーザの番組趣向に関連する情報であるキーワードを抽出するキーワード抽出手段（例えば下記実施例では、制御部１０１に相当する）と、
前記各キーワードついてその属性に応じて趣向の程度を示す趣向ポイントが予め対応付けて記憶されている第２の記憶手段（例えば下記実施例では、記憶部１１２に相当する）と、
前記抽出されたキーワードと前記第２の記憶手段に記憶されている趣向ポイントに基づいて、当該抽出されたキーワードについてのユーザ趣向度を算出する算出手段（例えば下記実施例では、制御部１０１に相当する）と、
前記算出されたユーザ趣向度とそれに対応するキーワードとを対応付けてユーザ趣向データとして記憶する第３の記憶手段（例えば下記実施例では、記憶部１１２に相当する）と、
を備えたことを特徴とする。
【００１３】
また、本願の請求項２にかかる発明は、請求項１にかかる放送受信装置において、前記ユーザ趣向データに基づいて、ユーザの趣向に合った番組情報を前記第１の記憶手段から抽出する番組情報抽出手段（例えば下記実施例では、制御部１０１に相当する）と、
前記抽出された番組情報を表示する表示手段（例えば下記実施例では、表示制御部１０９、表示合成部１１０および表示部１１１に相当する）と、
を備えたことを特徴とする。
【００１４】
また、本願の請求項３にかかる発明は、請求項１または請求項２にかかる放送受信装置において、前記キーワード抽出手段は、固有名詞、名詞、あるいは形容詞や形容動詞を含む形容語句からなる属性のキーワードを抽出することを特徴とする。
【００１５】
また、本願の請求項４にかかる発明は、請求項３にかかる放送受信装置において、前記趣向ポイントは、固有名詞、名詞、形容語句の順に高い重み付けがなされていることを特徴とする。
【００１６】
また、本願の請求項５にかかる発明は、
放送局から放送された映像信号や音声信号を含む放送番組を受信する放送受信装置の趣向データ収集方法において、
放送されている放送番組に関する番組情報を取得する取得工程と、
前記取得された番組情報を記憶する第１の記憶工程と、
前記第１の記憶工程にて記憶された番組情報の中からユーザが所望する番組情報を選択する選択工程と、
前記選択工程にて選択された番組情報からユーザの番組趣向に関連する情報であるキーワードを抽出するキーワード抽出工程と、
前記各キーワードついてその属性に応じて趣向の程度を示す趣向ポイントが予め対応付けて記憶する第２の記憶工程と、
前記キーワード抽出工程にて抽出されたキーワードと前記第２の記憶工程にて記憶されている趣向ポイントに基づいて、当該抽出されたキーワードについてのユーザ趣向度を算出する算出工程と、
前記算出工程にて算出されたユーザ趣向度とそれに対応するキーワードとを対応付けてユーザ趣向データとして記憶する第３の記憶工程と、
を含むことを特徴とする。
【００１７】
また、本願の請求項６にかかる発明は、請求項５にかかる趣向データ収集方法において、
前記ユーザ趣向データに基づいて、ユーザの趣向に合った番組情報を前記第１の記憶工程にて記憶された番組情報から抽出する番組情報抽出工程と、
前記番組情報抽出工程にて抽出された番組情報を表示する表示工程と、
を含むことを特徴とする。
【００１８】
また、本願の請求項７にかかる発明は、請求項５または請求項６にかかる趣向データ収集方法において、前記キーワード抽出工程は、固有名詞、名詞、あるいは形容詞や形容動詞を含む形容語句からなる属性のキーワードを抽出することを特徴とする。
【００１９】
また、本願の請求項８にかかる発明は、請求項７にかかる趣向データ収集方法において、前記趣向ポイントは、固有名詞、名詞、形容語句の順に高い重み付けがなされていることを特徴とする。
【発明の効果】
【００２０】
請求項１、請求項５にかかる発明においては、放送受信装置は、ユーザによって選択された放送番組の番組情報を検索して、この番組情報に含まれている番組のタイトル、番組内容の説明・解説からキーワードを抽出し、そのキーワードの属性によって重み付けされた趣向ポイントによってユーザ趣向度を算出する。
【００２１】
このような構成によれば、抽出されたキーワードと算出されたユーザ趣向度とを対応付けたユーザ趣向データに基づいてユーザの趣向に合った放送番組を探しだすことが可能である。このため、ユーザ所望の番組を手動で調べたりする必要がなく、ユーザにとっての利便性が向上する。
【００２２】
また、請求項２、請求項６にかかる発明のおいては、請求項１にかかる放送受信装置、または、請求項５にかかる趣向データ収集方法において、前記ユーザ趣向データに基づいて、ユーザの趣向に合った番組情報を抽出して表示する。
【００２３】
このような構成によれば、放送局から提供される電子番組表の中からユーザの趣向に合った番組情報を自動的に選び出して表示することが可能である。このため、ユーザにとってより使いやすく、便利な番組情報を提供することが可能となる。
【００２４】
また、請求項３、請求項７にかかる発明のおいては、請求項１または請求項２にかかる放送受信装置、または、請求項５または請求項６にかかる趣向データ収集方法において、固有名詞、名詞、あるいは形容詞や形容動詞を含む形容語句からなる属性のキーワードを抽出する。
【００２５】
このような構成によれば、抽出されたキーワードはユーザの趣向を端的に反映しているため、ユーザの趣向に合った放送番組を適切に探しだすことが可能である。このため、ユーザ所望の番組を手動で調べたりする必要がなく、ユーザにとっての利便性が向上する。
【００２６】
また、請求項４、請求項８にかかる発明のおいては、請求項３にかかる放送受信装置、または、請求項７にかかる趣向データ収集方法において、前記趣向ポイントは、固有名詞、名詞、形容語句の順に高い重み付けがなされている。
【００２７】
このような構成によれば、算出されたユーザ趣向度はユーザの趣向を端的に反映しているため、ユーザの趣向に合った放送番組を適切に探しだすことが可能である。このため、ユーザ所望の番組を手動で調べたりする必要がなく、ユーザにとっての利便性が向上する。
【発明を実施するための最良の形態】
【００２８】
以下、本発明の具体例を実施例及び図面を用いて詳細に説明する。但し、以下に示す実施例は、本発明の技術思想を具体化するための放送受信装置を例示するものであって、本発明をこの放送受信装置に特定することを意図するものではなく、特許請求の範囲に含まれるその他の実施形態の放送受信装置にも等しく適用し得るものである。
【実施例】
【００２９】
図１は、本発明の実施例にかかる放送受信装置の構成を示すブロック図である。車載用放送受信装置１０は、制御部１０１、アンテナ部１０２、フロントエンド部１０３、復調部１０４、デマルチプレクサ１０５、オーディオデコーダ１０６、ビデオデコーダ１０７、音声出力部１０８、表示制御部１０９、表示合成部１１０、表示部１１１、記憶部１１２、操作入力部１１３などを備えて構成されている。
【００３０】
なお、制御部１０１は本発明の取得手段、キーワード抽出手段、算出手段、番組情報抽出手段に相当し、表示制御部１０９、表示合成部１１０、および表示部１１１は本発明の表示手段に相当し、記憶部１１２は本発明の第１〜第３の記憶手段に相当し、操作入力部１１３は本発明の選択手段に相当する。
【００３１】
また、本実施例は、車載用の放送受信装置を示すものであるが、放送受信機能を有する携帯電話機や携帯ゲーム機などの携帯型の放送受信装置あるいは屋内に設置される固定型の放送受信装置であってもよい。
【００３２】
制御部１０１は、マイクロプロセッサを中心に構成され、一般的なコンピュータ装置と同様にＲＡＭ、ＲＯＭなどのメモリを備えており、ＲＯＭに格納されている各種制御プログラムを読み出し、ＲＡＭ内のプログラム格納領域に展開し、該制御プログラムに従って各部の動作を制御する。
【００３３】
アンテナ部１０２は、放送局から送信される放送電波を受信する。アンテナ部１０２によって受信された電波は、フロントエンド部１０３に送られる。
【００３４】
フロントエンド部１０３は、アンテナ部１０２によって受信された電波を、ＲＦ（Ｒａｄｉｏ  Ｆｒｅｑｕｅｎｃｙ）信号（高周波信号）に復調するための回路である。復調により得られたＲＦ信号は、復調部１０４に送られる。
【００３５】
復調部１０４は、フロントエンド部１０３によって復調されたＲＦ信号を、ベースバンド信号（変調されていない音声情報、映像情報、ＥＰＧデータ等の情報を含んだ信号）へと周波数変換するための回路である。周波数変換により得られたベースバンド信号は、デマルチプレクサ１０５に送られる。
【００３６】
デマルチプレクサ１０５は、復調部１０４によって周波数変換されたベースバンド信号を、オーディオ信号データ（音声データ）とビデオ信号データ（映像データ）とＥＰＧデータ等の番組情報とに分離するための回路である。分離されたオーディオ信号データはオーディオデコーダ１０６に送られる。また、分離されたビデオ信号データはビデオデコーダ１０７に送られる。また、ＥＰＧデータ等の番組情報は制御部１０１に送られる。
【００３７】
オーディオデコーダ１０６は、アナログデータ或いはデジタルデータであるオーディオ信号を、音声出力部１０８により音声出力するための信号に復号する復号用回路である。音声出力部１０８は、オーディオデコーダ１０６によって復号された音声信号を音声として出力するための拡声器である。
【００３８】
ビデオデコーダ１０７は、アナログデータ或いはデジタルデータであるビデオ信号を、表示部１１１により映像出力するための信号に復号する復号用回路である。表示部１１１は、ビデオデコーダ１０７によって復号された映像信号を映像に変換して表示するための装置であり、例えばＬＣＤ（液晶表示装置）や有機ＥＬＤ等の表示装置から構成される。
【００３９】
制御部１０１は、デマルチプレクサ１０５を介して受け取ったＥＰＧデータ等の番組情報に基づき現在放送されている放送局の番組情報を取得し、記憶部１１２の番組情報データ記憶領域１１２ａに記憶する。また、制御部１０１は、記憶部１１２の番組情報データ記憶領域１１２ａに記憶されている番組情報データの中から特定の放送局の番組情報を検索して抽出する処理を行い、抽出したデータを表示制御部１０９に渡す。
【００４０】
表示制御部１０９は、制御部１０１が抽出したデータを基に、ユーザに対して表示する番組リストを作成するための回路であり、チャンネル毎に放送中の番組やお勧めの番組が示されている番組リストが作られる。
【００４１】
表示部１１１は、ユーザに受信を希望するチャンネルの選択を促すメッセージを表示するとともに、受信可能なチャンネル番号（ＣＨ）と放送中の番組タイトルが表記されたボタンアイコンを表示する。ユーザによって視聴を希望するチャンネル番号のボタンアイコンがタッチされると、制御部１０１は該当するチャンネルの放送局を選局し、当該放送局からの放送を受信する。
【００４２】
表示合成部１１０は、ビデオデコーダ１０７によって復号された映像信号と、表示制御部１０９によって作成された番組リスト映像信号とを合成するための回路である。主に、ユーザが番組を視聴しながら、同時に番組リストを見る場合などに使用される。
【００４３】
記憶部１１２は、放送受信装置１０が保持する各種データ（ＥＰＧデータを含む番組情報データ等）を記録するための記憶媒体である。好ましくは大容量の記憶容量を有するハードディスクが用いられる。なお、記憶部１１２は、複数の領域（パーティション）に物理的に分割されており、記憶するデータの種別に応じて領域別に記憶することがより望ましい。
【００４４】
記憶部１１２は、少なくとも放送中の放送番組に含まれるＥＰＧデータ等により構成される現在放送中の番組情報データを記憶する領域である番組情報データ記憶領域１１２ａ（第１の記憶手段に相当）と、番組情報データに含まれるキーワードについてその属性に応じて趣向の程度を示す趣向ポイントが予め対応付けられている趣向ポイントテーブルを記憶する領域である趣向ポイントテーブル記憶領域１１２ｂ（第２の記憶手段に相当）と、ユーザが選択した番組情報から抽出されたキーワードと趣向ポイントとに基づいて算出されたユーザ趣向データを記憶する領域であるユーザ趣向データ記憶領域１１２ｃ（第３の記憶領域に相当）と、ユーザが選択した放送番組の番組情報から抽出されたキーワードを記憶する領域である抽出キーワード記憶領域１１２ｄと、を含むように構成されている。
【００４５】
操作入力部１１３は、ユーザが番組を視聴する放送局の選局や、装置の電源のＯＮ／ＯＦＦ等の指示を放送受信装置１０に対して行なうための入力用インターフェースであり、タッチパネル式液晶モニタ上に表示されるボタンアイコン等により構成されている。タッチパネルは、表示部１１１のＬＣＤ表示面に設けられ、表示面の任意の位置における指などの押圧あるいは接触を検出して位置検出信号を生成し、その位置検出信号を制御部１０１に対して動作制御信号として出力する。ユーザは表示されるボタンアイコンをタッチすることにより、所望の放送局の番組を視聴することが可能である。
【００４６】
また、制御部１０１は、ユーザが表示部１１１に表示されたボタンアイコンをタッチして所望の放送番組を選択すると、記憶部１１２の番組情報データ記憶領域１１２ａに記憶されている番組情報データの中からユーザによって選択された放送番組の番組情報を検索して、この番組情報に含まれている番組のタイトル、番組内容の説明・解説からキーワードとなる固有名詞、名詞、形容詞等の形容語句を抽出し、記憶部１１２の抽出キーワード記憶領域１１２ｄに記憶させる。
【００４７】
図３は、記憶部１１２の抽出キーワード記憶領域１１２ｄに記憶されている抽出キーワードの一例を示している。図３の示すように、抽出された各キーワードは、ユーザが選択した放送番組の番組コードと関連付けられて記憶されている。
【００４８】
具体的には、ユーザが選択した１放送番組（番組コード：０００１）から抽出されたキーワードとして、「最高峰」、「サッカー」、「浦和」が番組コードと関連付けられて記憶されている。
【００４９】
制御部１０１は、ユーザが選択した放送番組からキーワードが抽出されると、抽出されたキーワードと既に記憶部１１２の趣向ポイントテーブル記憶領域１１２ｂに記憶されている趣向ポイントテーブルに基づいて、抽出されたキーワードについてのユーザ趣向度を算出する。
【００５０】
図４は、記憶部１１２の趣向ポイントテーブル記憶領域１１２ｂに記憶されている趣向ポイントテーブルの一例を示している。
【００５１】
図４の示すように、キーワードは、固有名詞、名詞、および形容詞や形容動詞を含む形容語句からなる属性に分類されて、各属性のキーワードに対して趣向の程度を示す趣向ポイントが属性間で重み付けがなされるようにして記憶されている例を示している。
【００５２】
具体的には、「浦和」などの各固有名詞に対しては趣向ポイントとして４ポイント、「サッカー」などの各名詞に対しては趣向ポイントとして２ポイント、「注目（の）」などの各形容語句に対しては趣向ポイントとして１ポイントが関連付けられて記憶されている。
【００５３】
そして、制御部１０１は、抽出されたキーワードのこれまでの抽出頻度（回数）と、この抽出頻度（回数）と記憶部１１２の趣向ポイントテーブル記憶領域１１２ｂに記憶されている趣向ポイントテーブルに含まれている当該キーワードの趣向ポイントとを乗算して得られた当該キーワードのユーザ趣向度と、を抽出されたキーワードと関連付けてユーザ趣向データとして記憶部１１２のユーザ趣向データ記憶領域１１２ｃに記憶させる。
【００５４】
図５は、記憶部１１２のユーザ趣向データ記憶領域１１２ｃに記憶されているユーザ趣向データの一例を示している。図５の示すように、各キーワードに対して、抽出頻度（回数）とユーザ趣向度とが関連付けられて、ユーザ趣向度（ポイント）が高いキーワード順に記憶されている例を示している。
【００５５】
具体的には、「浦和」というキーワードに対しては、抽出頻度（回数）として６回、ユーザ趣向度として２４ポイントが関連付けられて記憶されており、次に、「サッカー」というキーワードに対しては、抽出頻度（回数）として７回、ユーザ趣向度として１４ポイントが関連付けられて記憶されている。
【００５６】
ここで、記憶部１１２の趣向ポイントテーブル記憶領域１１２ｂに記憶されている趣向ポイントテーブルにおいて、「浦和」というキーワードに対する趣向ポイントが４ポイントで、「サッカー」というキーワードに対する趣向ポイントが２ポイントであるため、「浦和」というキーワードに対するユーザ趣向度は、これら抽出頻度（回数）の６回と趣向ポイントの４ポイントとを乗算して２４ポイントとなり、「サッカー」というキーワードに対するユーザ趣向度は、７（回）×２（ポイント）＝１４ポイントとなる。
【００５７】
さらに、制御部１０１は、ユーザが表示部１１１に表示された「お勧めボタン」をタッチしてユーザの趣向に合った放送番組の視聴を希望すると、記憶部１１２の番組情報データ記憶領域１１２ｃに記憶されているユーザ趣向データに基づいて、記憶部１１２の番組情報データ記憶領域１１２ａに記憶されている番組情報データの中からユーザ趣向度の高いキーワードを含む番組情報を検索して、検索された番組情報の番組リストデータを抽出し、抽出したデータを表示制御部１０９に渡す。表示制御部１０９は、制御部１０１が抽出したデータを基に、ユーザの趣向に合った放送番組の番組リストを作成し、表示部１１１に出力する。
【００５８】
図６は、表示部１１１に表示される番組リストの一例を示している。
【００５９】
具体的には、表示部１１１の表示画面６００にユーザに受信を希望するお勧めのチャンネルの選択を促すメッセージ６０１を表示するとともに、お勧めの度合い順に並べられた受信可能なチャンネル番号（ＣＨ）と放送中の番組タイトルが表記された４つのボタンアイコン６０２が設けられている。ユーザによって視聴を希望するチャンネル番号のボタンアイコンがタッチされると、制御部１０１は該当するチャンネルの放送局を選局し、当該放送局からの放送を受信する。
【００６０】
次に、本発明にかかる放送受信装置のユーザ趣向データの収集動作について説明する。
【００６１】
図２は、本実施例にかかる放送受信装置の動作を示すフローチャートである。
【００６２】
なお、図２に示す動作は制御部１０１に備えられたＲＯＭに記憶されている制御プログラムを実行することで実現される。
【００６３】
図２のフローチャートにおいて、ステップＳ２００において、所定のサーバとの通信によるダウンロードもしくはＣＤ−ＲＯＭなどの外部記憶媒体からプレインストールによって趣向ポイントテーブル（ＰＴ）を取得して、記憶部１１２の趣向ポイントテーブル記憶領域１１２ｂに記憶する。
【００６４】
ステップＳ２０１において、放送局からの放送番組の受信もしくは所定のサーバとの通信によるダウンロードによってＥＰＧデータ等の番組情報を取得し、記憶部１１２の番組情報データ記憶領域１１２ａに記憶する。
【００６５】
ステップＳ２０２において、ユーザにより表示部１１１のタッチパネルから所望の放送局の放送番組が選択されたか否か判定し、放送番組が選択された場合にはステップＳ２０３に進み、一方、放送番組が選択されていない場合にはステップＳ２０２の処理に戻る。
【００６６】
そして、ステップＳ２０３において、記憶部１１２の番組情報データ記憶領域１１２ａに記憶されている番組情報データの中からユーザによって選択された放送番組の番組情報を検索して、この番組情報に含まれているキーワードを抽出し、記憶部１１２の抽出キーワード記憶領域１１２ｄに記憶する。
【００６７】
ステップＳ２０４において、抽出されたキーワードのこれまでの抽出頻度（回数）と記憶部１１２の趣向ポイントテーブル記憶領域１１２ｂに記憶されている趣向ポイントテーブルに含まれている当該キーワードの趣向ポイントとを乗算して当該キーワードのユーザ趣向度を求め、このキーワードの抽出頻度（回数）とともに、ユーザ趣向データとして記憶部１１２のユーザ趣向データ記憶領域１１２ｃに記憶して処理を終了する。
【００６８】
以上説明したように本発明にかかる放送受信装置によれば、ユーザによって選択された放送番組の番組情報を検索して、この番組情報に含まれている番組のタイトル、番組内容の説明・解説からキーワードを抽出し、そのキーワードの属性によって重み付けされた趣向ポイントによってユーザ趣向度を算出するので、抽出されたキーワードと算出されたユーザ趣向度とを対応付けたユーザ趣向データに基づいてユーザの趣向に合った放送番組を探しだすことが可能である。このため、ユーザ所望の番組を手動で調べたりする必要がなく、ユーザにとっての利便性が向上する。
【００６９】
また、ユーザ趣向データに基づいて、ユーザの趣向に合った番組情報を抽出して表示するので、放送局から提供される電子番組表の中からユーザの趣向に合った番組情報を自動的に選び出して表示することが可能である。このため、ユーザにとってより使いやすく、便利な番組情報を提供することが可能となる。
【００７０】
なお、上記実施例では、算出されたユーザ趣向度は、ユーザ趣向データとして記憶部１１２のユーザ趣向データ記憶領域１１２ｃに記憶されるのみであるが、ユーザ趣向度（ポイント）が高いキーワード順に表示部１１１に表示させてもよい。
【００７１】
また、上記実施例では、テレビ放送番組における選局について説明したが、放送番組はこれに限ることなく、ラジオ放送番組などの音声信号のみの放送番組の選局について適用することも可能である。
【図面の簡単な説明】
【００７２】
【図１】本発明の実施例にかかる放送受信装置の構成を示すブロック図である。
【図２】本発明の実施例にかかる放送受信装置のユーザ趣向データの収集動作を示すフローチャートである。
【図３】本発明の実施例にかかる記憶部に記憶されている抽出キーワードの一例を示している。
【図４】本発明の実施例にかかる記憶部に記憶されている趣向ポイントテーブルの一例を示している。
【図５】本発明の実施例にかかる記憶部に記憶されているユーザ趣向データの一例を示している。
【図６】本実施例にかかる表示部に表示される番組リストの一例を示している。
【符号の説明】
【００７３】
１０・・・・放送受信装置
１０１・・・・制御部
１０２・・・・アンテナ部
１０３・・・・フロントエンド部
１０４・・・・復調部
１０５・・・・デマルチプレクサ
１０６・・・・オーディオデコーダ
１０７・・・・ビデオデコーダ
１０８・・・・音声出力部
１０９・・・・表示制御部
１１０・・・・表示合成部
１１１・・・・表示部
１１２・・・・記憶部
１１３・・・・操作入力部
【図１】
2009077334.tif 000003
【図２】
2009077334.tif 000004
【図３】
2009077334.tif 000005
【図４】
2009077334.tif 000006
【図５】
2009077334.tif 000007
【図６】
2009077334.tif 000008